(57)【要約】【課題】  不法侵入の誤検出を防止すること。【解決手段】  外出警戒スイッチが操作されたときにはホームゲートウェイ４０が人感信号の出力状態および生活機器３０の運転状態に基いて在宅者の有無を判断する。そして、在宅者の存在時には外出警戒モードの設定拒否を判定し、在宅者の非存在時には外出警戒モードの設定許可を判定する。このため、在宅者の存在状態で外出警戒モードが設定されることがなくなるので、在宅者の存在に基いて不法侵入が誤検出されることもなくなる。【選択図】  図５
2006190151.tif 000002
【特許請求の範囲】
【請求項１】
在宅者が存在しないことを前提に不法侵入を監視する不在時警戒モードの設定を指令する指令手段と、
在宅者の存在状態を検出する在宅検出手段と、
前記指令手段から前記不在時警戒モードの設定が指令されたときには、前記在宅検出手段の検出結果に基いて前記不在時警戒モードの設定許可および前記不在時警戒モードの設定拒否を判定するモード判定手段と
を備えたことを特徴とする監視システム。
【請求項２】
前記モード判定手段は、前記不在時警戒モードの設定拒否を判定している状態で前記不在時警戒モードの設定が再指令されたときには前記不在時警戒モードを設定することを特徴とする請求項１記載の監視システム。
【請求項３】
前記モード判定手段は、前記在宅検出手段の検出結果に基いて前記不在時警戒モードを設定拒否する拒否原因が解消されたことを検出したときには前記不在時警戒モードを設定することを特徴とする請求項１〜２のいずれかに記載の監視システム。
【請求項４】
不法侵入を監視する警戒モードの設定を指令する指令手段と、
在宅者の存在状態を検出する在宅検出手段と、
前記指令手段から前記警戒モードの設定が指令されたときには、在宅者の存在がないことを前提に不法侵入を監視する不在時警戒モードの設定許可および在宅者の存在があることを前提に不法侵入を監視する在宅時警戒モードの設定許可を前記在宅検出手段の検出結果に基いて選択するモード選択手段と
を備えたことを特徴とする監視システム。
【請求項５】
前記モード選択手段に選択結果の変更を指令する指令手段を備え、
前記モード選択手段は、前記在宅時警戒モードの設定許可を選択している状態で前記指令手段から選択結果の変更が指令されたときには前記不在時警戒モードを設定することを特徴とする請求項４記載の監視システム。
【請求項６】
前記モード選択手段は、前記在宅検出手段の検出結果に基いて前記不在時警戒モードを設定許可しない拒否原因が解消されたことを検出したときには前記不在時警戒モードを設定許可することを特徴とする請求項４〜５のいずれかに記載の監視システム。
【請求項７】
不法侵入の監視対象物に設置された機器の運転状態を検出する運転検出手段を備え、
前記在宅検出手段は、前記運転検出手段の検出結果に基いて在宅者の存在状態を検出することを特徴とする請求項１〜６のいずれかに記載の監視システム。
【請求項８】
不法侵入の監視対象物に設置された機器の運転状態を検出する運転検出手段と、
前記運転検出手段の検出結果を報知する報知手段と
を備えたことを特徴とする請求項１〜７のいずれかに記載の監視システム。
【発明の詳細な説明】
【技術分野】
【０００１】
本発明は、家屋等の監視対象物に対する不法侵入を監視する監視システムに関する。
【背景技術】
【０００２】
上記監視システムには、不在時警戒モードの設定が指令されることに基いて不在時警戒モードを無条件に設定する構成のものがある。この不在時警戒モードは在宅者が存在しないことを前提に不法侵入を監視するモードであり、不在時警戒モードの設定状態で家屋内に人が侵入したときには不法侵入が検出されることに基いて警報が作動する。
【特許文献１】特開２００４−１８５０８０号公報
【特許文献２】特開２００４−０３８７６１号公報
【発明の開示】
【発明が解決しようとする課題】
【０００３】
上記従来構成の場合、在宅者の存在状態で不在時警戒モードの設定が指令されたときには不在時警戒モードが指令に応じて設定される。このため、不法侵入が在宅者の存在に基いて誤検出されるので、警報が誤動作する虞れがある。
【０００４】
本発明は上記事情に鑑みてなされたものであり、その目的は不法侵入の誤検出を防止することができる監視システムを提供することにある。
【課題を解決するための手段】
【０００５】
請求項１記載の監視システムは、在宅者が存在しないことを前提に不法侵入を監視する不在時警戒モードの設定を指令する指令手段と、在宅者の存在状態を検出する在宅検出手段と、前記指令手段から前記不在時警戒モードの設定が指令されたときには前記在宅検出手段の検出結果に基いて前記不在時警戒モードの設定許可および前記不在時警戒モードの設定拒否を判定するモード判定手段とを備えたところに特徴を有する。
【０００６】
請求項４記載の監視システムは、不法侵入を監視する警戒モードの設定を指令する指令手段と、在宅者の存在状態を検出する在宅検出手段と、前記指令手段から前記警戒モードの設定が指令されたときには在宅者の存在がないことを前提に不法侵入を監視する不在時警戒モードの設定許可および在宅者の存在があることを前提に不法侵入を監視する在宅時警戒モードの設定許可を前記在宅検出手段の検出結果に基いて選択するモード選択手段とを備えたところに特徴を有する。
【発明の効果】
【０００７】
在宅者が存在するときには不在時警戒モードの設定が指令されても不在時警戒モードの設定を拒否したり（請求項１）、警戒モードの設定が指令されることに基いて不在時警戒モードではなく在宅時警戒モードの設定を許可することができる（請求項４）。即ち、在宅者の存在状態では不在時警戒モードが設定不能になるので、在宅者の存在に基いて不法侵入が誤検出されることがなくなる。
【発明を実施するための最良の形態】
【０００８】
【実施例１】
【０００９】
セキュリティシステムは家屋１のセキュリティを監視する監視システムに相当するものであり、ホームコントローラ１０と侵入検出器２０（図５参照）と生活機器３０（図５参照）とホームゲートウェイ４０とアプリケーションサーバ５０とパーソナルコンピュータ６０と携帯電話端末７０から構築されている。これらホームコントローラ１０〜生活機器３０はＬＡＮ等のネットワークを介してホームゲートウェイ４０に接続されており、ホームゲートウェイ４０は公衆のインターネット網を介してアプリケーションサーバ５０に接続されている。
【００１０】
ホームコントローラ１０はホームゲートウェイ４０に外出警戒モードのオンオフおよび在宅警戒モードのオンオフを要求するものであり、ホームゲートウェイ４０はホームコントローラ１０からの要求に基いて外出警戒モードおよび在宅警戒モードをオンオフする。侵入検出器２０は侵入者の有無を侵入前および侵入後に検出するものであり、ホームゲートウェイ４０は外出警戒モードのオン状態および在宅警戒モードのオン状態では侵入検出器２０からの出力信号に基いて不法侵入を監視し、アプリケーションサーバ５０に監視結果を送信する。以下、ホームコントローラ１０〜携帯電話端末７０について説明する。
１．ホームコントローラ１０の説明
家屋１内には、図２に示すように、コントロールパネル１１が装着されている。このコントロールパネル１１には在宅警戒スイッチ１２と外出警戒スイッチ１３と警戒解除スイッチ１４が装着されており、在宅警戒スイッチ１２〜警戒解除スイッチ１４の操作時には在宅警戒スイッチ１２〜警戒解除スイッチ１４からパネル制御部１６（図３参照）にオン信号が出力される。このパネル制御部１６はマイクロコンピュータを主体に構成されたものであり、図３に示すように、ＣＰＵとＲＯＭとＲＡＭを有している。このパネル制御部１６はコントロールパネル１１内に収納されたものであり、在宅警戒スイッチ１２〜警戒解除スイッチ１４の操作内容に応じた信号をホームゲートウェイ４０に送信する。このパネル制御部１６には報知手段に相当する液晶表示器１７が接続されている。この表示器１７は、図２に示すように、コントロールパネル１１に装着されたものであり、パネル制御部１６は表示器１７を駆動制御することに基いて表示器１７にセキュリティ関連情報を表示する。
【００１１】
在宅警戒スイッチ１２および外出警戒スイッチ１３は家人が在宅警戒モードおよび外出警戒モードをオンする目的で操作するものであり、在宅警戒モードのオン状態および外出警戒モードのオン状態で警戒解除スイッチ１４が操作されたときには在宅警戒モードおよび外出警戒モードがオフされる。在宅警戒モードは家屋１内に在宅者が存在することを前提に外部から人が不法に侵入することを警戒する在宅時警戒モードに相当するものであり、例えば在宅者が就寝するときに設定される。外出警戒モードは家屋１内に在宅者が存在しないことを前提に外部から人が不法に侵入することを警戒する不在時警戒モードに相当するものであり、例えば在宅者が外出するときに設定される。即ち、外出警戒スイッチ１３は不在時警戒モードの設定を指令する指令手段に相当するものである。
２．侵入検出器２０の説明
侵入検出器２０は、図１に示すように、窓開放センサ２１とドアフォンセンサ２２と電気錠センサ２３と人感センサ２４を総称するものである。窓開放センサ２１は窓の開閉に連動して動作する機械スイッチから構成されたものであり、窓が開放されたことを検出して窓開放信号を出力する。ドアフォンセンサ２２はドアフォンの呼出しボタンに連動して動作する機械スイッチから構成されたものであり、呼出しボタンが操作されたことを検出して呼出し信号を出力する。電気錠センサ２３は玄関ドアの電気錠が開錠されることに基いて開錠信号を出力するものであり、電気錠は電波信号および磁気信号等の電気信号が発振されることに基いて開錠状態および施錠状態間で切換わる。
【００１２】
人感センサ２４は人が検出エリア内に侵入したことを検出して人感信号を出力する赤外線検出素子から構成されたものであり、在宅検出手段に相当する。この人感センサ２４の検出エリアはホームコントローラ１０の周辺部を除外して設定されており、在宅者は人感センサ２４の検出エリア外でホームコントローラ１０の在宅警戒スイッチ１２〜警戒解除スイッチ１４を操作することができる。即ち、在宅者がホームコントローラ１０の在宅警戒スイッチ１２〜警戒解除スイッチ１４を操作するときには人感センサ２４から人感信号が出力されない。
３．生活機器３０の説明
生活機器３０は家屋１の内外に設置された生活関連製品を称するものであり、図１の照明機器３１と空気調和機３２と洗濯機３３と冷蔵庫３４と電子レンジ３５とＩＨ加熱調理器３６とテレビジョン３７と給湯器３８は生活機器３０の一例である。これら各生活機器３０は、図４に示すように、本体制御部７０および通信制御部８０を有している。本体制御部７０は生活機器３０を運転制御する内部制御回路を称するものであり、運転情報検出部７１および運転情報送信部７２を有している。これら運転情報検出部７１および運転情報送信部７２は本体制御部７０の機能を称するものであり、運転情報検出部７１は生活機器３０の運転情報を定期的に検出し、運転情報送信部７２は運転情報の検出結果を通信制御部８０に定期的に送信する。この運転情報は生活機器３０が運転中であるか否か示すものであり、生活機器３０が運転中であるときには運転情報として運転中データが送信され、生活機器３０が停止中であるときには運転情報として停止中データが送信される。
【００１３】
通信制御部８０は運転情報送受信部８１および運転情報記憶部８２を有するものであり、運転情報送受信部８１は本体制御部７０から定期的に送信される運転情報を受信して運転情報記憶部８２に記憶する。この運転情報は運転情報記憶部８２の記憶データに上書きされるものであり、運転情報記憶部８２には最新の運転情報だけが記憶される。尚、通信制御部８０は在宅検出手段および運転検出手段に相当するものである。
４．ホームゲートウェイ４０の説明
ホームゲートウェイ４０は、図５に示すように、セキュリティ制御部４１および通信部４２を有するものであり、セキュリティ制御部４１とホームコントローラ１０〜生活機器３０との間のデータ通信・セキュリティ制御部４１とアプリケーションサーバ５０との間のデータ通信は全て通信部４２を通して行われる。
【００１４】
セキュリティ制御部４１はマイクロコンピュータを主体に構成されたものであり、ＣＰＵ４３とＲＯＭ４４とＲＡＭ４５を有している。このセキュリティ制御部４１のＲＯＭ４４には制御プログラムおよび制御データが記録されており、セキュリティ制御部４１のＣＰＵ４３は通信部４２を通して受信した通信データを制御プログラムおよび制御データに基いて処理することで家屋１のセキュリティを監視し、セキュリティの監視結果を通信部４２から公衆のインターネット網を通してアプリケーションサーバ５０に送信する。尚、セキュリティ制御部４１はモード判定手段に相当するものである。
５．アプリケーションサーバ５０の説明
アプリケーションサーバ５０はセキュリティ会社に設置されたものであり、有線通信部５１および無線通信部５２を有している。このアプリケーションサーバ５０にはＬＡＮ等のネットワークを介してパーソナルコンピュータ６０が接続され、公衆の無線電話回線を介して携帯電話端末７０が接続されており、アプリケーションサーバ５０は有線通信部５１を介してパーソナルコンピュータ６０との間でデータ通信を行い、無線通信部５２を介して携帯電話端末７０との間でデータ通信を行う。
【００１５】
パーソナルコンピュータ６０はセキュリティ会社に設置されたものであり、アプリケーションサーバ５０はセキュリティの監視結果をパーソナルコンピュータ６０に送信し、セキュリティ会社はパーソナルコンピュータ６０の受信結果に基いて家屋１のセキュリティを遠隔監視する。携帯電話端末７０は家屋１の家人が所持するものであり、アプリケーションサーバ５０はセキュリティの監視結果を携帯電話端末７０に送信し、家人は携帯電話端末７０の受信結果に基いて家屋１のセキュリティを遠隔監視する。
【００１６】
図６はセキュリティ制御部４１の処理内容を示すフローチャートであり、セキュリティ制御部４１のＣＰＵ４３は主電源が投入されたときにはステップＳ１のモード設定処理へ移行する。このモード設定処理は在宅警戒スイッチ１２〜警戒解除スイッチ１４の操作内容に基いて在宅警戒モードおよび外出警戒モードをオンオフするものであり、ＣＰＵ４３はモード設定処理を終えたときにはステップＳ２で在宅警戒モードの設定状態を判断する。ここで在宅警戒モードのオンを検出したときにはステップＳ４の在宅警戒処理を経てステップＳ６の携帯端末処理へ移行し、在宅警戒モードのオフを検出したときにはステップＳ３で外出警戒モードの設定状態を判断する。ここで外出警戒モードのオンを検出したときにはステップＳ５の外出警戒処理を経てステップＳ６の携帯端末処理へ移行し、外出警戒モードのオフを検出したときにはステップＳ６の携帯端末処理へ移行する。以下、モード設定処理〜携帯端末処理について説明する。
６−１．モード設定処理
ＣＰＵ４３は図７のステップＳ１１へ移行すると、在宅警戒スイッチ１２の操作内容を判断する。例えば在宅者が在宅警戒スイッチ１２を操作したときにはホームコントローラ１０からホームゲートウェイ４０に在宅警戒スイッチ１２のオンが送信され、ＣＰＵ４３はステップＳ１１で在宅警戒スイッチ１２のオンを検出する。
【００１７】
ＣＰＵ４３はステップＳ１１で在宅警戒スイッチ１２のオンを検出すると、ステップＳ１２で窓開放信号の有無を判断する。この窓開放信号は窓の開放状態で窓開放センサ２１から出力されるものであり、ＣＰＵ４３はステップＳ１２で窓開放信号がないことを検出したときにはステップＳ１３へ移行して在宅警戒モードをオンする。そして、ステップＳ１４へ移行し、ホームコントローラ１０にオンコマンドを送信する。このオンコマンドは在宅警戒モードのオンを知らせるものであり、ホームコントローラ１０のパネル制御部１６はオンコマンドを受信することに基いて表示器１７に「在宅警戒モードがオンされました。」を表示し、在宅者に在宅警戒モードのオンを報知する。
【００１８】
ＣＰＵ４３はステップＳ１２で窓開放信号を検出すると、ステップＳ１５でホームコントローラ１０に窓警告コマンドを送信する。この窓警告コマンドは窓の開放を知らせるものであり、ホームコントローラ１０のパネル制御部１６は窓警告コマンドを受信することに基いて表示器１７に「窓が開いているので在宅警戒モードを設定できません。」を表示する。即ち、在宅者が在宅警戒スイッチ１２を操作したときには窓が閉鎖されていることを条件に在宅警戒モードが設定され、窓が開放されているときには在宅警戒モードが設定されない。
【００１９】
ＣＰＵ４３は図７のステップＳ１１で在宅警戒スイッチ１２のオフを検出すると、図８のステップＳ１６で外出警戒スイッチ１３の操作内容を判断する。例えば在宅者が外出警戒スイッチ１３を操作したときにはホームコントローラ１０からホームゲートウェイ４０に外出警戒スイッチ１３のオンが送信され、ＣＰＵ４３はステップＳ１６で外出警戒スイッチ１３のオンを検出する。
【００２０】
ＣＰＵ４３はステップＳ１６で外出警戒スイッチ１３のオンを検出すると、ステップＳ１７で窓開放センサ２１からの窓開放信号の有無を判断する。ここで窓開放信号を検出したときには窓が開放されていると判断し、図７のステップＳ１５でホームコントローラ１０に窓警告コマンドを送信する。すると、ホームコントローラ１０のパネル制御部１６は窓警告コマンドを受信することに基いて表示器１７に「窓が開いているので外出警戒モードを設定できません。」を表示する。
【００２１】
ＣＰＵ４３は図８のステップＳ１７で窓開放センサ２１からの窓開放信号がないことを検出すると、ステップＳ１８で人感信号の有無を判断する。この人感信号は人感センサ２４の検出エリア内に人が存在する場合に人感センサ２４から出力されるものであり、ＣＰＵ４３はステップＳ１８で人感信号を検出したときにはステップＳ１９へ移行し、ホームコントローラ１０に在宅警告コマンドを送信する。そして、ステップ２０へ移行し、在宅フラグをオンすることに基いて在宅者の存在を記録する。
【００２２】
在宅警告コマンドは在宅者の存在を知らせるものであり、ホームコントローラ１０のパネル制御部１６は、図２の（ａ）に示すように、在宅警告コマンドを受信することに基いて表示器１７に「人が居るので外出警戒モードを設定できません。外出警戒モードを設定するときには外出するか外出警戒スイッチを再操作して下さい。在宅警戒モードを設定するときには在宅警戒スイッチを操作して下さい。」を表示する。即ち、外出警戒モードをオンすることができないときにはホームコントローラ１０に不備内容が具体的に表示され、在宅者に報知される。
【００２３】
ＣＰＵ４３は図８のステップＳ２１へ移行すると、在宅度データ検出処理を実行する。この在宅度データ検出処理は生活機器３０の現在の運転状態を検出し、運転状態の検出結果に基いて在宅者の存在状態を判定する基礎データを生成するものであり、在宅度データ検出処理の詳細は次の通りである。
【００２４】
ＣＰＵ４３は図１０のステップＳ７１へ移行すると、アドレスカウンタＮａを「０」にリセットする。このアドレスカウンタＮａはデータ通信の対象となる生活機器３０を特定するものであり、ＣＰＵ４３はステップＳ７１でアドレスカウンタＮａをリセットしたときにはステップＳ７２へ移行し、アドレスカウンタＮａに「１」を加算する。そして、ステップＳ７３へ移行し、アドレスカウンタＮａの加算結果に応じた生活機器３０の通信制御部８０にデータ要求信号を送信する。このデータ要求信号は運転情報の送信を要求するものであり、通信制御部８０はＣＰＵ４３からのデータ要求信号を受信することに基いてＲＡＭから運転情報を検出し、運転情報の検出結果をＣＰＵ４３に送信する。
【００２５】
ＣＰＵ４３はステップＳ７３で通信制御部８０にデータ要求信号を送信すると、ステップＳ７４で運転情報の返信を待つ。ここで運転情報を受信したときにはステップＳ７５へ移行し、図１１に示すように、アドレスカウンタＮａの送信結果および運転情報の受信結果をＲＡＭ４５に記録する。そして、図１０のステップＳ７６へ移行し、アドレスカウンタＮａの加算結果を最大値Ｍａｘと比較する。ここでアドレスカウンタＮａの加算結果が最大値Ｍａｘに到達していないことを検出したときにはステップＳ７２に復帰し、ステップＳ７２〜ステップＳ７６を繰返す。即ち、ＣＰＵ４３は複数の全ての生活機器３０の通信制御部８０にアドレスの順序でデータ要求信号を送信し、複数の全ての生活機器３０の通信制御部８０から運転情報をアドレスの順に取得する。
【００２６】
セキュリティ制御部４１のＲＯＭ４４には在宅度データが記録されている。この在宅度データは、図１２に示すように、照明機器３１のアドレス〜給湯器３８のアドレス毎に登録されたものであり、運転中ポイントおよび停止中ポイントから構成されている。運転中ポイントは家人が在宅中に生活機器３０をオンしておく確度を時間帯毎に示すものであり、例えばテレビジョン３７の運転中ポイントは朝および昼が共通の中値「４」に設定され、夜が高値「８」に設定されている。停止中ポイントは家人が在宅中に生活機器３０をオフしておく確度を時間帯毎に示すものであり、例えば冷蔵庫３４の停止中ポイントは朝昼夜に拘らず共通の最小値「０」に設定され、照明機器３１の停止中ポイントは朝および昼が共通の高値「８」に設定され、夜が低値「１」に設定されている。
【００２７】
ＣＰＵ４３は図１０のステップＳ７６でアドレスカウンタＮａの加算結果が最大値Ｍａｘに到達したことを検出すると、ステップＳ７７でアドレスカウンタＮａを「０」にリセットし、ステップＳ７８で現在の時間帯を検出する。この時間帯とは「朝」・「昼」・「夜」に大別されたものであり、現在時刻が「ＡＭ５：０１〜ＡＭ１０：００」であるときには時間帯として「朝」が検出され、現在時刻が「ＡＭ１０：０１〜ＰＭ５：００」であるときには時間帯として「昼」が検出され、現在時刻が「ＰＭ５：０１〜ＡＭ５：００」であるときには時間帯として「夜」が検出される。
【００２８】
ＣＰＵ４３はステップＳ７８で時間帯を検出すると、ステップＳ７９でアドレスカウンタＮａに「１」を加算する。そして、ステップＳ８０へ移行し、アドレスカウンタＮａの加算結果に応じた運転情報をＲＡＭ４５から取得し、アドレスカウンタＮａの加算結果に応じた在宅度データのうち時間帯の検出結果および運転情報の取得結果に応じたものを検出する。例えばアドレスカウンタＮａの加算結果が「１」で時間帯の検出結果が「夜」で運転情報の取得結果が「運転中」であるときにはアドレス「１」に応じた在宅度データのうちから「夜」の運転中ポイント「９」が検出され、アドレスカウンタＮａの加算結果が「１」で時間帯の検出結果が「朝」で運転情報の取得結果が「停止中」であるときにはアドレス「１」に応じた在宅度データのうちから「朝」の停止中ポイント「８」が検出される。
【００２９】
ＣＰＵ４３は図１０のステップＳ８０で在宅度データを検出すると、ステップＳ８１で在宅度データの検出結果Ｐを累積カウンタＮｂにセットする。そして、ステップＳ８２へ移行し、アドレスカウンタＮａの加算結果を最大値Ｍａｘと比較する。ここでアドレスカウンタＮａの加算結果が最大値Ｍａｘに到達していないことを検出したときにはステップＳ７９に復帰し、ステップＳ７９〜ステップＳ８２を繰返す。即ち、ＣＰＵ４３はステップＳ７９〜ステップＳ８２を繰返すことに基いて複数の全ての生活機器３０について在宅度データＰを検出し、複数の全ての在宅度データＰの検出結果を累積的に加算する。
【００３０】
ＣＰＵ４３はステップＳ８２でアドレスカウンタＮａの加算結果が最大値Ｍａｘに到達したことを検出すると、図８のステップＳ２２で在宅度データの累積結果Ｎｂを在宅判定値Ｎｏと比較する。この在宅判定値Ｎｏはセキュリティ制御部４１のＲＯＭ４４に記録されたものであり、ＣＰＵ４３は在宅度データの累積結果Ｎｂが在宅判定値Ｎｏより小さいことを検出したときには在宅者が存在しないと判定してステップＳ２７へ移行し、在宅度データの累積結果Ｎｂが在宅判定値Ｎｏ以上であることを検出したときには在宅者が存在すると判定してステップＳ２３へ移行する。即ち、生活機器３０の運転率が相対的に高いときには人感センサ２４の検出結果に拘らず在宅者有りと判定され、生活機器３０の運転率が相対的に低いときには人感センサ２４の検出結果に拘らず在宅者無しと判定される。従って、ホームコントローラ１０の周辺部を除く人感センサ２４の死角内に家人が侵入しているときでも在宅者の存在を検出することができる。
【００３１】
ＣＰＵ４３はステップ２３へ移行すると、ＲＡＭ４５から運転情報の取得結果を検出し、運転情報の検出結果に基いて運転機器データを生成する。この運転機器データとはＲＡＭ４５に運転中であることが記録された生活機器３０を特定するものであり、例えば図１１に示すように、照明機器３１と冷蔵庫３４とテレビジョン３７と給湯器３８について運転中が記録されているときには運転機器データとして「照明機器・冷蔵庫・テレビジョン・給湯器」が生成される。
【００３２】
ＣＰＵ４３は図８のステップＳ２３で運転機器データを生成すると、ステップＳ２４でホームコントローラ１０に運転機器データの生成結果を送信する。そして、ステップＳ２５で切忘れ警告コマンドを送信し、ステップＳ２６で切忘れフラグをオンすることに基いて生活機器３０の過度な切忘れを記録する。この切忘れ警告コマンドは生活機器３０の過度な切忘れを知らせるものであり、ホームコントローラ１０のパネル制御部１６は、図２の（ｂ）に示すように、切忘れ警告コマンドを受信することに基いて表示器１７に「生活機器を切忘れているので外出警戒モードを設定できません。外出警戒モードを設定するときには不要な生活機器をオフするか、外出警戒スイッチを操作して下さい。在宅警戒モードを設定するときには在宅警戒スイッチを操作して下さい。」を表示する。この画面上に運転機器データの受信結果を表示し、オフの対象となる生活機器３０を在宅者に知らせる。
【００３３】
ＣＰＵ４３は図８のステップＳ２７へ移行すると、在宅フラグのオンオフを判断する。この在宅フラグは在宅者の存在状態で外出警戒スイッチ１３が操作された場合にオンされるものであり、ＣＰＵ４３はステップＳ２７で在宅フラグのオンを検出したときには図９のステップＳ２９へ移行し、図８のステップＳ２７で在宅フラグのオフを検出したときには図８のステップＳ２８へ移行する。
【００３４】
ＣＰＵ４３はステップＳ２８へ移行すると、切忘れフラグのオンオフを判断する。この切忘れフラグは生活機器３０の過度な切忘れ状態で外出警戒スイッチ１３が操作された場合にオンされるものであり、ＣＰＵ４３はステップＳ２８で切忘れフラグのオンを検出したときには図９のステップＳ２９へ移行し、図８のステップＳ２８で切忘れフラグのオフを検出したときには図９のステップＳ４０へ移行する。
【００３５】
ＣＰＵ４３は図９のステップＳ４０へ移行すると、ホームコントローラ１０に外出警告コマンドを送信する。この外出警告コマンドは外出警戒モードの設定を予告するものであり、ホームコントローラ１０のパネル制御部１６は外出警告コマンドを受信することに基いて表示器１７に「外出警戒モードを設定します。１分以内に外出して玄関ドアを施錠して下さい。」を表示する。
【００３６】
ＣＰＵ４３はステップＳ４０で外出警告コマンドを送信すると、ステップＳ４１で外出警告コマンドの送信から待機時間（具体的には１分）が経過したか否かを判断する。ここで待機時間が経過したことを検出したときにはステップＳ４２へ移行し、外出警戒モードをオンする。そして、ステップＳ４３でアプリケーションサーバ５０に携帯電話端末７０の電話番号を送信し、ステップＳ４４でアプリケーションサーバ５０にダイアルコマンドを送信する。この電話番号はセキュリティ制御部４１のＲＯＭ４４に登録されたものであり、アプリケーションサーバ５０はダイアルコマンドを検出することに基いて基地局を通して携帯電話端末７０に電子メール「外出警戒モードが設定されました。」を送信し、家人に外出警戒モードの設定を報知する。即ち、在宅者が外出警戒スイッチ１３を操作したときには１）窓が閉鎖されていること・２）人感センサ２４の検出エリア内に人が存在しないこと・３）生活機器３０の過度な切忘れがないことの３つを条件に外出警戒モードが設定される。
【００３７】
ＣＰＵ４３は図９のステップＳ２９へ移行すると、タイマＴにＲＯＭ４４に予め記録された制限時間（例えば１２０秒）をセットする。このタイマＴは制限時間の経過を計測するものであり、ＣＰＵ４３はステップＳ２９でタイマＴをセットしたときにはステップＳ３０でホームコントローラ１０にカウントダウンコマンドを送信する。このカウントダウンコマンドは制限時間の表示値を初期値から減算することを指令するものであり、ホームコントローラ１０のパネル制御部１６は、図２の（ａ）および（ｂ）に示すように、カウントダウンコマンドを受信することに基いて表示器１７に制限時間の初期値を表示し、制限時間の表示を初期値から設定単位（例えば１秒）で減算する。
【００３８】
ＣＰＵ４３は図９のステップＳ３０でカウントダウンコマンドを送信すると、ステップＳ３１でタイマＴを減算する。即ち、ホームコントローラ１０の表示器１７にはＣＰＵ４３の残り制限時間Ｔの更新処理に同期して制限時間の減算表示が行われる。
【００３９】
ＣＰＵ４３はステップＳ３１でタイマＴを減算すると、ステップＳ３２でタイマＴの減算結果を「０」と比較する。ここでタイマＴの減算結果が「０」に到達していないことを検出したときにはステップＳ３３へ移行し、在宅警戒スイッチ１２の操作内容を判断する。例えば家人が制限時間の経過前に在宅警戒スイッチ１２を操作したときにはホームコントローラ１０からホームゲートウェイ４０に在宅警戒スイッチ１２のオンが送信され、ＣＰＵ４３はステップＳ３３で在宅警戒スイッチ１２のオンを検出する。
【００４０】
ＣＰＵ４３はステップＳ３３で在宅警戒スイッチ１２のオンを検出すると、ステップＳ５５で在宅フラグをオフする。そして、ステップＳ５６で切忘れフラグをオフし、図７のステップＳ１３へ移行する。即ち、人感センサ２４の検出エリア内に人が存在する状態または生活機器３０の過度な切忘れがある状態で外出警戒スイッチ１３が操作されたときには制限時間内に在宅警戒スイッチ１２を操作することで在宅警戒モードが強制的に設定され、ホームコントローラ１０に在宅警戒モードのオンが表示される。
【００４１】
ＣＰＵ４３は図９のステップＳ３３で在宅警戒スイッチ１２のオフを検出すると、ステップＳ３４で外出警戒スイッチ１３の操作内容を判断する。例えば在宅者が制限時間の経過前に外出警戒スイッチ１３を再操作したときにはホームコントローラ１０からホームゲートウェイ４０に外出警戒スイッチ１３のオンが送信され、ＣＰＵ４３はステップＳ３４で外出警戒スイッチ１３のオンを検出する。そして、ステップＳ３８で在宅フラグをオフし、ステップＳ３９で切忘れフラグをオフし、ステップＳ４０へ移行する。この場合にはステップＳ４０〜ステップＳ４４が実行され、携帯電話端末７０に電子メールで外出警戒モードのオンが送信される。即ち、外出警戒モードのオンは在宅者が最終的且つ強制的な決定権を持つものであり、外出警戒モードのオン条件が成立していないときでも制限時間内であれば操作者が自らの意思で外出警戒モードをオンすることができる。
【００４２】
ＣＰＵ４３はステップＳ３４で外出警戒スイッチ１３のオフを検出すると、ステップＳ３５で人感信号の有無を判断する。例えば在宅者が人感センサ２４の検出エリア外に脱出したときには人感信号の出力が停止するので、ＣＰＵ４３はステップＳ３５で人感信号がないことを検出してステップＳ３６へ移行する。
【００４３】
ＣＰＵ４３はステップＳ３６へ移行すると、在宅度データ検出処理を実行する。このステップＳ３６の在宅度データ検出処理は図１０のステップＳ７１〜ステップＳ８２を実行することに基いて在宅度データの累積値Ｎｂを検出するものであり、ＣＰＵ４３は図９のステップＳ３６で在宅度データの累積値Ｎｂを検出したときにはステップＳ３７へ移行し、在宅度データの累積結果Ｎｂを在宅判定値Ｎｏと比較する。例えば在宅者が不要な生活機器３０をオフしたときには在宅度データの累積結果Ｎｂが在宅判定値Ｎｏを下回るので、ＣＰＵ４３はステップＳ３７からステップＳ３８へ移行する。
【００４４】
ＣＰＵ４３はステップＳ３８へ移行すると、在宅フラグをオフする。そして、ステップＳ３９で切忘れフラグをオフし、ステップＳ４０〜ステップＳ４４を実行することに基いて外出警戒モードをオンし、携帯電話端末７０に電子メールで外出警戒モードのオンを送信する。即ち、外出警戒モードは在宅者がオン条件の不備を制限時間内に解消することに基いて自動的にオンされるものであり、オン条件の不備内容は家人がホームコントローラ１０の表示内容から視覚的に認識可能にされている。
【００４５】
ＣＰＵ４３はステップＳ３２でタイマＴの減算結果が「０」に到達したことを検出すると、ステップＳ４５で在宅フラグをオフし、ステップＳ４６で切忘れフラグをオフする。そして、ステップＳ４７へ移行し、ホームコントローラ１０にオフコマンドを送信する。このオフコマンドは外出警戒モードの設定不能を知らせるものであり、ホームコントローラ１０のパネル制御部１６はオフコマンドを検出することに基いて表示器１７に「外出警戒モードを設定することができません。」を表示する。即ち、在宅者が外出警戒モードの設定不能原因を制限時間内に解消せず、在宅警戒スイッチ１２および外出警戒スイッチ１３をいずれも操作せずに制限時間が経過したときには残り制限時間の表示値が「０」になり、外出警戒モードの設定不能が操作者に報知される。
【００４６】
ＣＰＵ４３は図８のステップＳ１６で外出警戒スイッチ１３のオフを検出すると、ステップＳ４８で警戒解除スイッチ１４の操作内容を判断する。例えば在宅者が警戒解除スイッチ１４を操作したときにはホームコントローラ１０からホームゲートウェイ４０に警戒解除スイッチ１４のオンが送信され、ＣＰＵ４３はステップＳ４８で警戒解除スイッチ１４のオンを検出する。
【００４７】
ＣＰＵ４３はステップＳ４８で強制解除スイッチ１４のオンを検出すると、ステップＳ４９で在宅警戒モードをオフし、ステップＳ５０で外出警戒モードをオフする。即ち、在宅者が在宅警戒モードおよび外出警戒モードを誤設定したときには表示器１７の表示内容から設定ミスをリアルタイムで認識し、警戒解除スイッチ１４を操作することに基いて在宅警戒モードおよび外出警戒モードをオフした上で在宅警戒モードおよび外出警戒モードを新規に設定することができる。尚、図５のモード設定部４６はＣＰＵ４３が実行するモード設定処理を機能的に示すものである。
６−２．在宅警戒処理
ＣＰＵ４３は図１３のステップＳ５１へ移行すると、窓開放信号の有無を判断する。例えば窓が開けられたときには窓開放センサ２１からホームゲートウェイ４０に窓開放信号が出力され、ＣＰＵ４３はステップＳ５１で窓開放信号を検出してステップＳ５３へ移行する。
【００４８】
ＣＰＵ４３はステップＳ５１で窓開放信号がないことを検出すると、ステップＳ５２で開錠信号の有無を判断する。例えば玄関ドアの電気錠が開錠されたときには電気錠センサ２３から開錠信号が出力され、ＣＰＵ４３はステップＳ５２で開錠信号を検出してステップＳ５３へ移行する。
【００４９】
ＣＰＵ４３はステップＳ５３へ移行すると、インターネット網を通してアプリケーションサーバ５０に家屋１の所在地を送信する。この所在地はセキュリティ制御部４１のＲＯＭ４４に登録されたものであり、ＣＰＵ４３はステップＳ５３でアプリケーションサーバ５０に家屋１の所在地を送信すると、ステップＳ５４で異常通知コマンドを送信する。すると、アプリケーションサーバ５０からパーソナルコンピュータ６０に異常通知信号と共に所在地の受信結果が送信され、パーソナルコンピュータ６０の表示器に「所在地＊＊＊で不法侵入が発生しました。」が表示される。即ち、在宅警戒処理は窓開放センサ２１および電気錠センサ２３だけを有効化することに基いて外部からの不法侵入を検出するものであり、図５の在宅警戒部４７はＣＰＵ４３が実行する在宅警戒処理を機能的に示している。
６−３．外出警戒処理
ＣＰＵ４３は図１４のステップＳ６１へ移行すると、窓開放信号の有無を判断する。例えば窓が開けられたときには窓開放センサ２１からホームゲートウェイ４０に窓開放信号が出力され、ＣＰＵ４３はステップＳ６１で窓開放信号を検出してステップＳ６５へ移行する。
【００５０】
ＣＰＵ４３はステップＳ６１で窓開放信号がないことを検出すると、ステップＳ６２で開錠信号の有無を判断する。例えば玄関ドアの電気錠が開錠されたときには電気錠センサ２３から開錠信号が出力され、ＣＰＵ４３はステップＳ６２で開錠信号を検出してステップＳ６５へ移行する。
【００５１】
ＣＰＵ４３はステップＳ６２で開錠信号がないことを検出すると、ステップＳ６３で呼出し信号の有無を判断する。例えばドアフォンの呼出しボタンが操作されたときにはドアフォンセンサ２２から呼出し信号が出力され、ＣＰＵ４３はステップＳ６３で呼出し信号を検出してステップＳ６５へ移行する。
【００５２】
ＣＰＵ４３はステップＳ６３で呼出し信号がないことを検出すると、ステップＳ６４で人感信号の有無を判断する。例えば家屋１内に人が侵入したときには人感センサ２４から人感信号が出力され、ＣＰＵ４３はステップＳ６４で人感信号を検出してステップＳ６５へ移行する。
【００５３】
ＣＰＵ４３はステップＳ６５へ移行すると、インターネット網を通してアプリケーションサーバ５０に家屋１の所在地を送信する。そして、ステップＳ６６へ移行し、アプリケーションサーバ５０に異常通知コマンドを送信する。すると、アプリケーションサーバ５０からパーソナルコンピュータ６０に異常通知信号と共に所在地の受信結果が送信され、パーソナルコンピュータ６０の表示器に「所在地＊＊＊で不法侵入が発生しました。」が表示される。
【００５４】
ＣＰＵ４３はステップＳ６６で異常通知コマンドを送信すると、ステップＳ６７でインターネット網を通してアプリケーションサーバ５０に携帯電話端末７０の電話番号を送信し、ステップＳ６８でダイアルコマンドを送信する。すると、アプリケーションサーバ５０から基地局を通して携帯電話端末７０に電子メール「不法侵入が発生しました。」が送信され、外出中の家人にセキュリティの突破が通知される。即ち、外出警戒処理は窓開放センサ２１〜人感センサ２４の全てを有効化して外部からの不法侵入を検出するものであり、図５の外出警戒部４８はＣＰＵ４３が実行する外出警戒処理を機能的に示している。
６−４．携帯端末処理
ＣＰＵ４３は図１５のステップＳ７１へ移行すると、モード転送コマンドの有無を判断する。このモード転送コマンドはアプリケーションサーバ５０からインターネット網を通して送信されるものであり、アプリケーションサーバ５０は携帯電話端末７０から基地局を通して送信されるモード確認信号を受信することに基いてホームゲートウェイ４０にモード転送コマンドを送信する。
【００５５】
ＣＰＵ４３はステップＳ７１でモード転送コマンドを検出すると、ステップＳ７２で在宅警戒モードの設定状態を判断する。ここで在宅警戒モードのオンを検出したときにはステップＳ７３でアプリケーションサーバ５０に携帯電話端末７０の電話番号を送信し、ステップＳ７４でダイアルコマンドを送信する。すると、アプリケーションサーバ５０から基地局を通して携帯電話端末７０に電子メール「在宅警戒モードが設定されています。」が送信される。
【００５６】
ＣＰＵ４３はステップＳ７２で在宅警戒モードのオフを検出すると、ステップＳ７５で外出警戒モードの設定状態を判断する。ここで外出警戒モードのオンを検出したときにはステップＳ７６でアプリケーションサーバ５０に携帯電話端末７０の電話番号を送信し、ステップＳ７７でダイアルコマンドを送信する。すると、アプリケーションサーバ５０から基地局を通して携帯電話端末７０に電子メール「外出警戒モードが設定されています。」が送信される。
【００５７】
ＣＰＵ４３はステップＳ７５で外出警戒モードのオフを検出すると、ステップＳ７８でアプリケーションサーバ５０に携帯電話端末７０の電話番号を送信し、ステップＳ７９でダイアルコマンドを送信する。すると、アプリケーションサーバ５０から基地局を通して携帯電話端末７０に電子メール「警戒モードが何も設定されていません。」が送信される。即ち、家人が外出先で携帯電話端末７０を操作してモード確認信号を送信したときにはホームゲートウェイ４０からアプリケーションサーバ５０を通して携帯電話端末７０に現在の警戒モードの設定状態が送信され、家人が外出先で警戒モードの設定状態を確認することができる。
【００５８】
ＣＰＵ４３はステップＳ７１でモード転送コマンドがないことを検出すると、ステップＳ８０で警戒解除コマンドの有無を判定する。この警戒解除コマンドはアプリケーションサーバ５０からインターネット網を通して送信されるものであり、アプリケーションサーバ５０は携帯電話端末７０から基地局を通して送信される警戒解除信号を受信することに基いてホームゲートウェイ４０に警戒解除コマンドを送信する。
【００５９】
ＣＰＵ４３はステップＳ８０で警戒解除コマンドを検出すると、ステップＳ８１で在宅警戒モードをオフし、ステップＳ８２で外出警戒モードをオフする。そして、ステップＳ８３でアプリケーションサーバ５０に携帯電話端末７０の電話番号を送信し、ステップＳ８４でダイアルコマンドを送信する。すると、アプリケーションサーバ５０から基地局を通して携帯電話端末７０に電子メール「警戒モードが解除されました。」が送信される。即ち、家人が携帯電話端末７０を操作して警戒解除信号を送信したときにはアプリケーションサーバ５０を通してホームゲートウェイ４０に警戒解除コマンドが送信されるので、ホームコントローラ１０を操作することなく宅外から在宅警戒モードおよび外出警戒モードをオフすることができる。この場合にはホームゲートウェイ４０からアプリケーションサーバ５０を通して携帯電話端末７０に在宅警戒モードおよび外出警戒モードのオフが送信されるので、家人が宅外で在宅警戒モードおよび外出警戒モードのオフを確認することができる。尚、図５の携帯端末処理部４９はＣＰＵ４３が実行する携帯端末処理を機能的に示している。
【００６０】
上記実施例１によれば次の効果を奏する。
ホームコントローラ１０からホームゲートウェイ４０に外出警戒モードの設定が指令されたときにはホームゲートウェイ４０が人感信号の出力状態および生活機器３０の運転状態に基いて外出警戒モードの設定許可および外出警戒モードの設定拒否を判定する構成としたので、在宅者の存在状態で外出警戒モードの設定が指令されたときには外出警戒モードの設定が拒否されるようになる。このため、在宅者の存在状態で外出警戒モードが設定されることがなくなるので、在宅者の存在に基いて不法侵入が誤検出されることもなくなる。
【００６１】
ホームゲートウェイ４０が外出警戒モードの指定時に生活機器３０の運転状態に基いて在宅者の有無を検出する構成とした。このため、在宅者が人感センサ２４の死角内に居たり、在宅者が一時的に外出しているときでも在宅者の存在を検出することができる。
【００６２】
ホームゲートウェイ４０が外出警戒モードの指定時に生活機器３０の運転状態をホームコントローラ１０に表示する構成としたので、在宅者が外出時に生活機器３０の切忘れをホームコントローラ１０の画面上で一挙に確認することが可能になる。このため、生活機器３０の切忘れを確認しながら家屋１内を動き回る必要がなくなるので、利便性が向上する。
【００６３】
ホームゲートウェイ４０が外出警戒モードの設定拒否を判定しているにも拘らず外出警戒スイッチ１３の再操作を検出したときには判定結果を無視し、外出警戒モードを設定する構成とした。このため、在宅者が照明機器３１およびテレビジョン３７等の生活機器３０をオンしたまま外出したいときには照明機器３１およびテレビジョン３７等をオンしたまま外出警戒モードを設定することができるので、利便性が高まる。
【００６４】
ホームゲートウェイ４０が外出警戒モードの設定拒否状態で人感信号の出力停止および不要な生活機器３０のオフを検出したときには外出警戒モードを設定する構成とした。このため、在宅者が人感センサ２４の検出エリア内から移動したり、不要な生活機器３０をオフするだけで外出警戒モードが自動的に設定されるようになるので、利便性が高まる。
【００６５】
在宅警戒モードのオンオフをホームコントローラ１０に表示し、外出警戒モードのオンオフを携帯電話端末７０に表示する構成としたので、家人がセキュリティシステムの状態をリアルタイムで把握することができる。このため、在宅警戒モードおよび外出警戒モードが誤設定されたときには所望の状態に即座に再設定することができるので、利便性が高まる。
【００６６】
外出警戒モードの設定許可および設定拒否の判定結果をホームコントローラ１０に表示する構成としたので、家人が判定結果をリアルタイムに把握することができる。このため、家人がコントローラ１０の表示結果を確認してホームコントローラ１０を操作することに基いて外出警戒モードおよび在宅警戒モードを自らの意思で選択することができるの、利便性が高まる。
【００６７】
家人が携帯電話端末７０を操作することに基いて警戒モードの設定状態を携帯電話端末７０によって取得する構成とした。このため、家人が任意のタイミングで警戒モードの設定状態を確認することができるので、利便性が高まる。
【００６８】
家人が携帯電話端末７０を操作することに基いて在宅警戒モードおよび外出警戒モードをオフする構成とした。このため、家人が宅外に居ながら在宅警戒モードおよび外出警戒モードをオフすることができるので、宅内に侵入することに基いて警報（不法侵入の通知）が誤動作することがなくなる。
【００６９】
上記実施例１においては、生活機器３０の過度な切忘れ状態で外出警戒スイッチ１３が再操作されたときには生活機器３０の過度な切忘れ状態のまま外出警戒モードを設定する構成としたが、これに限定されるものではなく、例えば生活機器３０の過度な切忘れを自動的に解消した上で外出警戒モードを設定する構成としても良い。この場合、ホームゲートウェイ４０から生活機器３０の通信制御部８０を通して本体制御部７０に運転停止コマンドを送信し、本体制御部７０が運転停止コマンドを受信することに基いて生活機器３０を運転停止させるように構成すると良い。
【実施例２】
【００７０】
ホームコントローラ１０のコントロールパネル１１には、図１６に示すように、警戒スイッチ１８および解除スイッチ１９が装着されている。これら警戒スイッチ１８および解除スイッチ１９はパネル制御部１６に接続されたものであり、パネル制御部１６は警戒スイッチ１８の操作内容および解除スイッチ１９の操作内容をホームゲートウェイ４０に送信する。このホームゲートウェイ４０のセキュリティ制御部４１はモード選択手段に相当するものであり、警戒スイッチ１８の操作内容および解除スイッチ１９の操作内容に基いて警戒モードをオンオフする。以下、セキュリティ制御部４１のモード設定処理について説明する。
【００７１】
セキュリティ制御部４１のＣＰＵ４３は図１７のステップＳ９１へ移行すると、指令手段に相当する警戒スイッチ１８の操作内容を検出する。例えば在宅者が警戒スイッチ１８を操作したときにはパネル制御部１６からホームゲートウェイ４０に警戒スイッチ１８のオンが送信され、ＣＰＵ４３はステップＳ９１で警戒スイッチ１８のオンを検出してステップＳ９２へ移行する。
【００７２】
ＣＰＵ４３はステップＳ９２へ移行すると、窓開放センサ２１からの窓開放信号の有無を判断する。ここで窓開放信号があることを検出したときにはステップＳ９３へ移行し、ホームコントローラ１０に窓警告コマンドを送信する。すると、ホームコントローラ１０のパネル制御部１６は窓警告コマンドを検出することに基いて表示器１７に「窓が開いているので警戒モードを設定できません。窓を閉めてから警戒スイッチを操作して下さい。」を表示する。即ち、警戒スイッチ１８が窓の開放状態で操作されたときには警戒モードの設定が拒否される。
【００７３】
ＣＰＵ４３はステップＳ９２で窓開放信号がないことを検出すると、ステップＳ９４で人感センサ２４からの人感信号の有無を判断する。ここで人感信号が有ることを検出したときにはステップＳ９５へ移行し、在宅フラグをオンすることに基いて在宅者の存在を記録する。そして、ステップＳ９６へ移行し、ホームコントローラ１０にモードコマンドを送信する。すると、ホームコントローラ１０のパネル制御部１６は、図１６の（ａ）に示すように、モードコマンドを検出することに基いて表示器１７に「人が居るので在宅警戒モードが適切です。在宅警戒モードを設定するときには制限時間内に警戒スイッチを再操作して下さい。外出警戒モードを設定するときには制限時間内に外出してから警戒スイッチを再操作して下さい。」を表示する。
【００７４】
ＣＰＵ４３は図１７のステップＳ９７へ移行すると、在宅度データ検出処理を行う。このステップＳ９７の在宅度データ検出処理は図１０のステップＳ７１〜ステップＳ８２を実行することに基いて在宅度データの累積値Ｎｂを検出するものであり、ＣＰＵ４３は図１７のステップＳ９７で在宅度データの累積値Ｎｂを検出したときにはステップＳ９８へ移行し、在宅度データの累積結果Ｎｂを在宅判定値Ｎｏと比較する。例えば生活機器３０の過度な切忘れ状態で警戒スイッチ１８が操作されたときにはステップＳ９８で在宅度データの検出結果Ｎｂが在宅判定値Ｎｏ以上であることが検出されるので、ＣＰＵ４３はステップＳ９９へ移行する。
【００７５】
ＣＰＵ４３はステップＳ９９へ移行すると、切忘れフラグをオンすることに基いて生活機器３０の過度な切忘れを記録する。そして、ステップＳ１００で運転機器データを生成し、ステップＳ１０１でホームコントローラ１０に運転機器データの生成結果を送信し、ステップＳ１０２でホームコントローラ１０にモードコマンドを送信する。この運転機器データはステップＳ９７の在宅度データ検出処理で運転中であることが確認された生活機器３０を特定するものであり、ホームコントローラ１０は、図１６の（ｂ）に示すように、モードコマンドを検出することに基いて表示器１７に「人が居るので在宅警戒モードが適切です。在宅警戒モードを設定するときには制限時間内に警戒スイッチを再操作して下さい。外出警戒モードを設定するときには制限時間内に不要な生活機器をオフしてから警戒スイッチを再操作して下さい。」を表示する。この画面上に運転機器データの受信結果を表示し、オフの対象となる生活機器３０を操作者に知らせる。
【００７６】
ＣＰＵ４３は図１７のステップＳ９８で在宅度データの累積結果Ｎｂが在宅判定値Ｎｏを下回ることを検出すると、ステップＳ１４５で在宅フラグの設定状態を判断する。ここで在宅フラグのオフを検出したときにはステップＳ１０３へ移行し、ホームコントローラ１０にモードコマンドを送信する。すると、ホームコントローラ１０のパネル制御部１６は、図１６の（ｃ）に示すように、モードコマンドを受信することに基いて表示器１７に「外出警戒モードを設定することができます。外出警戒モードを設定するときには制限時間内に警戒スイッチを再操作して下さい。」を表示する。即ち、人感センサ２４の検出エリア内に人が居たり、生活機器３０の過度な切忘れがあるときには在宅警戒モードの設定許可が選択され、人感センサ２４の検出エリア内に人がおらずに生活機器３０の過度な切忘れがないときには外出警戒モードの設定許可が選択される。
【００７７】
ＣＰＵ４３は図１７のステップＳ１０４へ移行すると、タイマＴに制限時間の初期値をセットする。そして、ステップＳ１０５でホームコントローラ１０にカウントダウンコマンドを送信し、ステップＳ１０６でタイマＴを減算する。すると、図１６に示すように、ホームコントローラ１０の表示器１７に残り制限時間がカウントダウン表示され、残り制限時間がカウントダウン表示されることに同期してタイマＴが減算される。
【００７８】
ＣＰＵ４３は図１７のステップＳ１０６でタイマＴを減算すると、ステップＳ１０７でタイマＴの減算結果を「０」と比較する。ここでタイマＴの減算結果が「０」に到達していないことを検出したときにはステップＳ１０８へ移行し、警戒スイッチ１８の操作内容を判断する。例えば在宅者が制限時間内で警戒スイッチ１８を再操作したときにはホームコントローラ１０からホームゲートウェイ４０に警戒スイッチ１８のオンが送信され、ＣＰＵ４３はステップＳ１０８からステップＳ１０９へ移行する。
【００７９】
ＣＰＵ４３はステップＳ１０９へ移行すると、在宅フラグの設定状態を判断する。ここで在宅フラグのオンを検出したときにはステップＳ１１１へ移行し、在宅フラグのオフを検出したときにはステップＳ１１０で切忘れフラグの設定状態を判断し、切忘れフラグのオンを検出したときにはステップＳ１１１へ移行する。即ち、在宅フラグおよび切忘れフラグの少なくとも一方がオンされているときにはステップＳ１１１が実行される。
【００８０】
ＣＰＵ４３はステップＳ１１１へ移行すると、在宅警戒モードをオンする。そして、ステップＳ１１２で在宅フラグをオフし、ステップＳ１１３で切忘れフラグをオフし、ステップＳ１１４でホームコントローラ１０にオンコマンドを送信する。すると、ホームコントローラ１０のパネル制御部１６は表示器１７に「在宅警戒モードが設定されました。」を表示し、在宅者に在宅警戒モードのオンを報知する。即ち、人感センサ２４の検出エリア内に人が居たり、生活機器３０の過度な切忘れがある状態では警戒スイッチ１８の初期操作に基いて在宅警戒モードの設定許可が選択され、警戒スイッチ１８が制限時間内で再操作されることに基いて在宅警戒モードが設定される。
【００８１】
ＣＰＵ４３はステップＳ１１０で切忘れフラグがオフされていることを検出すると、ステップＳ１１５でホームコントローラ１０に外出警告コマンドを送信することに基いて表示器１７に「外出警戒モードを設定します。１分以内に外出して玄関ドアを施錠して下さい。」を表示する。そして、ステップＳ１１６へ移行し、外出警告コマンドの送信から待機時間（具体的には１分）が経過したか否かを判断する。
【００８２】
ＣＰＵ４３はステップＳ１１６で待機時間が経過したことを検出すると、ステップＳ１１７で外出警戒モードをオンする。そして、ステップＳ１１８でアプリケーションサーバ５０に携帯電話端末７０の電話番号を送信し、ステップＳ１１９でダイアルコマンドを送信する。すると、アプリケーションサーバ５０から基地局を通して携帯電話端末７０に電子メール「外出警戒モードが設定されました。」が送信され、家人に宅外で外出警戒モードの設定が報知される。即ち、人感センサ２４の検出エリア内に人がおらず、生活機器３０の過度な切忘れがない状態では警戒スイッチ１８の初期操作に基いて外出警戒モードの設定許可が選択され、警戒スイッチ１８が制限時間内で再操作されることに基いて外出警戒モードが設定される。
【００８３】
ＣＰＵ４３はステップＳ１０８で警戒スイッチ１８のオフを検出すると、図１８のステップＳ１２０で在宅フラグの設定状態を判断する。ここで在宅フラグのオンを検出したときにはステップＳ１２１へ移行し、人感信号の有無を判断する。例えば人感センサ２４の検出エリア内から家人が移動したときには人感信号の出力が停止し、ＣＰＵ４３はステップＳ１２１からステップＳ１２２へ移行する。
【００８４】
ＣＰＵ４３はステップＳ１２２へ移行すると、在宅フラグをオフすることに基いて人感センサ２４の検出エリア内に人が居ないことを記録する。そして、ステップＳ１２３へ移行し、切忘れフラグの設定状態を判断する。ここで切忘れフラグのオンを検出したときにはステップＳ１２４へ移行し、切忘れフラグのオフを検出したときにはステップＳ１２５へ移行する。
【００８５】
ＣＰＵ４３はステップＳ１２４へ移行すると、ホームコントローラ１０にモードコマンドを送信する。すると、ホームコントローラ１０のパネル制御部１６は表示器１７に「生活機器の切忘れが残っています。在宅警戒モードを設定するときには警戒スイッチを再操作して下さい。外出警戒モードを設定するときには生活機器をオフしてから警戒スイッチを再操作して下さい。」を表示する。この状態で制限時間が経過したり、警戒スイッチ１８が操作されときには図１７のステップＳ１０７で制限時間の経過が検出されたり、ステップＳ１０８で警戒スイッチ１８のオンが検出される。そして、ステップＳ１０９で在宅フラグのオフが検出され、ステップＳ１１０で切忘れフラグのオンが検出されるので、ステップＳ１１１で在宅警戒モードがオンされ、ステップＳ１１４で在宅警戒モードのオンが報知される。
【００８６】
ＣＰＵ４３は図１８のステップＳ１２５へ移行すると、ホームコントローラ１０にモードコマンドを送信する。すると、ホームコントローラ１０のパネル制御部１６は表示器１７に「外出警戒モードが適切です。外出警戒モードを設定するときには警戒スイッチを再操作して下さい。」を表示する。この状態で制限時間が経過したり、警戒スイッチ１８が操作されたときには図１７のステップＳ１０７で制限時間の経過が検出されたり、ステップＳ１０８で警戒スイッチ１８のオンが検出される。そして、ステップＳ１０９で在宅フラグのオフが検出され、ステップＳ１１０で切忘れフラグのオフが検出されるので、ステップＳ１１７で外出警戒モードがオンされ、ステップＳ１１９で外出警戒モードのオンが報知される。
【００８７】
ＣＰＵ４３は図１８のステップＳ１２６へ移行すると、切忘れフラグの設定状態を判断する。ここで切忘れフラグのオンを検出したときにはステップＳ１２７へ移行し、在宅度データ検出処理を行う。この在宅度データ検出処理は図１０のステップＳ７１〜ステップＳ８２を実行することに基いて在宅度データの累積値Ｎｂを検出するものであり、ＣＰＵ４３はステップＳ１２７で在宅度データの累積値Ｎｂを検出したときにはステップＳ１２８へ移行し、在宅度データの累積結果Ｎｂを在宅判定値Ｎｏと比較する。
【００８８】
ＣＰＵ４３はステップＳ１２８で在宅度データの累積結果Ｎｂが在宅判定値Ｎｏを下回ることを検出すると、ステップＳ１２９で切忘れフラグをオフすることに基いて生活機器３０の過度な切忘れが解消されたことを記録する。そして、ステップＳ１３０へ移行し、在宅フラグの設定状態を判断する。ここで在宅フラグのオンを検出したときにはステップＳ１３１へ移行し、在宅フラグのオフを検出したときにはステップＳ１３２へ移行する。
【００８９】
ＣＰＵ４３はステップＳ１３１へ移行すると、ホームコントローラ１０にモードコマンドを送信する。すると、ホームコントローラ１０のパネル制御部１６は表示器１７に「家屋内に人が残っています。在宅警戒モードを設定するときには警戒スイッチを再操作して下さい。外出警戒モードを設定するときには人を外出させてから警戒スイッチを再操作して下さい。」を表示する。この状態で制限時間が経過したり、警戒スイッチ１８が操作されときには図１７のステップＳ１０７で制限時間の経過が検出されたり、ステップＳ１０８で警戒スイッチ１８のオンが検出される。そして、ステップＳ１０９で在宅フラグのオンが検出されるので、ステップＳ１１１で在宅警戒モードがオンされ、ステップＳ１１４で在宅警戒モードのオンが報知される。
【００９０】
ＣＰＵ４３は図１８のステップＳ１３２へ移行すると、ホームコントローラ１０にモードコマンドを送信する。すると、ホームコントローラ１０のパネル制御部１６は表示器１７に「外出警戒モードが適切です。外出警戒モードを設定するときには警戒スイッチを再操作して下さい。」を表示する。この状態で制限時間が経過したり、警戒スイッチ１８が操作されたときには図１７のステップＳ１０７で制限時間の経過が検出されたり、ステップＳ１０８で警戒スイッチ１８のオンが検出される。そして、ステップＳ１０９で在宅フラグのオフが検出され、ステップＳ１１０で切忘れフラグのオフが検出されるので、ステップＳ１１７で外出警戒モードがオンされ、ステップＳ１１９で外出警戒モードのオンが報知される。
【００９１】
ＣＰＵ４３は図１７のステップＳ９１で警戒スイッチ１８のオフを検出すると、ステップＳ１３３で解除スイッチ１９の操作内容を判断する。例えば在宅者が解除スイッチ１９を操作したときにはパネル制御部１６からホームゲートウェイ４０に解除スイッチ１９のオンが送信され、ＣＰＵ４３はステップＳ１３３で解除スイッチ１９のオンを検出してステップＳ１３４へ移行する。
【００９２】
ＣＰＵ４３はステップＳ１３４へ移行すると、在宅警戒モードをオフする。そして、ステップＳ１３５へ移行し、外出警戒モードをオフする。即ち、在宅警戒モードおよび外出警戒モードは家人が携帯電話端末７０を操作することに加え、解除スイッチ１９を操作することによってもオフされるものである。
【００９３】
上記実施例２によれば次の効果を奏する。
ホームコントローラ１０からホームゲートウェイ４０に警戒モードの設定が指令されたときには人感信号の出力状態および生活機器３０の運転状態に基いて外出警戒モードの設定許可および在宅警戒モードの設定許可を選択する構成としたので、在宅者の存在状態では在宅警戒モードの設定許可が選択されるようになる。このため、在宅者の存在状態で外出警戒モードが設定されることがなくなるので、在宅者の存在に基いて不法侵入が誤検出されることもなくなる。
【００９４】
ホームゲートウェイ４０が在宅警戒モードの設定許可を選択している状態で人感信号の出力停止および生活機器３０の過度な切忘れの解消を検出したときには在宅警戒モードに換えて外出警戒モードの設定許可を選択する構成とした。このため、在宅者が人感センサ２４の検出エリア内から移動したり、不要な生活機器３０をオフするだけで外出警戒モードが自動的に選択されるようになるので、利便性が高まる。
【実施例３】
【００９５】
セキュリティ制御部４１のＣＰＵ４３は図１９のステップＳ１０７でタイマＴの減算結果が「０」に到達していないことを検出すると、ステップＳ１３６で強制スイッチの操作内容を判断する。この強制スイッチはホームコントローラ１０のコントロールパネル１１に装着されたものであり、在宅者が制限時間内で強制スイッチを操作したときにはホームコントローラ１０からホームゲートウェイ４０に強制スイッチのオンが送信され、ＣＰＵ４３はステップＳ１３６で強制スイッチのオンを検出する。
【００９６】
ＣＰＵ４３はステップＳ１３６で強制スイッチのオンを検出すると、図２０のステップＳ１３７で在宅フラグの設定状態を判断し、ステップＳ１３８で切忘れフラグの設定状態を判断する。ここで在宅フラグのオンを検出したり、切忘れフラグのオンを検出したときにはステップＳ１３９で在宅フラグをオフし、ステップＳ１４０で切忘れフラグをオフする。
【００９７】
ＣＰＵ４３はステップＳ１４０で切忘れフラグをオフすると、図１９のステップＳ１１５およびステップＳ１１６を経てステップＳ１１７へ移行し、外出警戒モードをオンする。そして、ステップＳ１１８を経てステップＳ１１９へ移行し、携帯電話端末７０に外出警戒モードのオンを送信する。即ち、人感センサ２４の検出エリア内に人が居たり、生活機器３０の過度な切忘れがあるときには警戒スイッチ１８の初期操作に基いて在宅警戒モードの設定許可が選択され、在宅フラグがオンされていたり、切忘れフラグがオンされている。この在宅警戒モードの設定許可状態で強制スイッチが制限時間内に操作されたときには在宅警戒モードの選択結果が無効化され、外出警戒モードが強制的に設定される。
【００９８】
ＣＰＵ４３は図２０のステップＳ１３７で在宅フラグのオフを検出し、ステップＳ１３８で切忘れフラグのオフを検出すると、図１９のステップＳ１１１で在宅警戒モードをオンする。そして、ステップＳ１１２およびステップＳ１１３を経てステップＳ１１４へ移行し、在宅警戒モードのオンをホームコントローラ１０の表示器１７に表示する。即ち、人感センサ２４の検出エリア内に人が居らず、生活機器３０の過度な切忘れがないときには警戒スイッチ１８の初期操作に基いて外出警戒モードの設定許可が選択され、在宅フラグおよび切忘れフラグの双方がオフされている。この外出警戒モードの設定許可状態で強制スイッチが制限時間内に操作されたときには外出警戒モードの選択結果が無効化され、在宅警戒モードが強制的に設定される。
【００９９】
上記実施例３によれば次の効果を奏する。
ホームゲートウェイ４０が在宅警戒モードの設定許可を選択している状態で強制スイッチが操作されたときには在宅警戒モードの選択結果を無効化し、外出警戒モードを設定する構成とした。このため、在宅者が照明機器３１およびテレビジョン３７等の生活機器３０をオンしたまま外出したいときには照明機器３１およびテレビジョン３７等をオンしたまま外出警戒モードを設定することができるので、利便性が高まる。
【０１００】
上記実施例３においては、生活機器３０の過度な切忘れ状態で強制スイッチが操作されたときには生活機器３０の過度な切忘れ状態のまま外出警戒モードを設定する構成としたが、これに限定されるものではなく、例えば生活機器３０の過度な切忘れを自動的に解消した上で外出警戒モードを設定する構成としても良い。この場合、ホームゲートウェイ４０から生活機器３０の通信制御部８０を通して本体制御部７０に運転停止コマンドを送信し、本体制御部７０が運転停止コマンドを受信することに基いて生活機器３０を運転停止させるように構成すると良い。
【実施例４】
【０１０１】
セキュリティ制御部４１のＣＰＵ４３は図２１のステップＳ１４１へ移行すると、ホームコントローラ１０に外出警告コマンドを送信する。すると、ホームコントローラ１０のパネル制御部１６は表示器１７に「外出警戒モードを設定します。宅外に出て施錠して下さい。」を表示する。
【０１０２】
ＣＰＵ４３はステップＳ１４１で外出警告コマンドを送信すると、ステップＳ１４２でドアスイッチの出力状態を判断する。このドアスイッチは玄関ドアの開放および閉鎖に連動してオンおよびオフされる機械スイッチから構成されたものであり、ＣＰＵ４３はステップＳ１４２でドアスイッチのオンを検出したときにはステップＳ１４３へ移行し、ドアスイッチのオフを待つ。
【０１０３】
ＣＰＵ４３はステップＳ１４３でドアスイッチのオフを検出すると、ステップＳ１４４で開錠信号の出力状態を判断する。ここで開錠信号が出力停止したことを検出したときにはステップＳ１１７で外出警戒モードをオンし、ステップＳ１１８でアプリケーションサーバ５０に携帯電話端末７０の電話番号を送信し、ステップＳ１１９でダイアルコマンドを送信する。即ち、外出警戒モードは玄関ドアが開放および閉鎖された後に施錠されることに基いてオンされるものであり、外出警戒モードのオンは宅外の家人に携帯電話端末７０を用いて報知される。
【０１０４】
上記実施例４によれば次の効果を奏する。
ホームコントローラ１０からホームゲートウェイ４０に外出警戒モードの設定が指令されたときには玄関ドアが開放および閉鎖された後に施錠されることに基いて外出警戒モードを設定する構成とした。このため、在宅者の存在状態で外出警戒モードが設定されることがなくなるので、在宅者の存在に基いて不法侵入が誤検出されることもなくなる。
【０１０５】
上記実施例４においては、玄関ドアが開放および閉鎖された後に施錠されること基いて外出警戒モードをオンしたが、これに限定されるものではなく、例えば玄関ドアが開放および閉鎖されること基いて外出警戒モードをオンしても良い。
【０１０６】
上記実施例４においては、玄関ドアの開放および閉鎖に基いて外出警戒モードをオンする構成を実施例２に適用したが、これに限定されるものではなく、例えば実施例１および実施例３に適用しても良い。
【０１０７】
上記実施例１〜実施例４においては、侵入検出器２０として窓開放センサ２１・ドアフォンセンサ２２・電気錠センサ２３・人感センサ２４・ドアスイッチを例示したが、これに限定されるものではなく、例えば窓に作用する振動を検出する振動センサ・家屋１内の映像を静止画または動画で検出する映像センサ・家屋１外の映像を静止画または動画で検出する映像センサ・家屋１内の音を検出する音センサ・家屋１外の音を検出する音センサ・床に作用する圧力を検出する感圧センサ・玄関マットに作用する圧力を検出する感圧センサ等を用いても良い。
【０１０８】
上記実施例１〜実施例４においては、生活機器３０の運転中ポイントおよび停止中ポイントをホームゲートウェイ４０のＲＯＭ４４に予め記録しておく構成としたが、これに限定されるものではなく、例えば家人が入力する構成としても良い。この場合、ホームゲートウェイ４０にネットワークを介してパーソナルコンピュータを接続しておき、家人がパーソナルコンピュータからネットワークを通してホームゲートウェイ４０に運転中ポイントおよび停止中ポイントを入力するように構成すると良い。
【０１０９】
上記実施例１〜実施例４においては、携帯電話端末７０からアプリケーションサーバ５０を通してホームゲートウェイ４０にモード確認信号を送信することに基いて警戒モードの設定状態を携帯電話端末７０で確認する構成としたが、これに限定されるものではなく、例えばホームゲートウェイ４０にインターネット網を介してパーソナルコンピュータを接続しておき、家人が外出先でパーソナルコンピュータを操作することに基いて警戒モードの設定状態を外出先のパーソナルコンピュータで確認する構成としても良い。
【０１１０】
上記実施例１〜実施例４においては、複数の生活機器３０の運転状態を総合的に判断することに基いて在宅者の有無を判定したが、これに限定されるものではなく、例えば照明機器３１等の特定の１種類の生活機器３０の運転状態に基いて在宅者の有無を判定しても良い。
【０１１１】
上記実施例１〜実施例４においては、生活機器３０として照明機器３１〜給湯器３８を例示したが、これに限定されるものではなく、例えば掃除機・扇風機・ファンヒータ・換気扇・ホットカーペット・空気清浄機・オーディオ等であっても良く、要はセキュリティの監視対象で使用される機器であれば良い。
【０１１２】
上記実施例１〜実施例４においては、生活機器３０の運転状態に基いて在宅者の存在状態を判定したが、これに限定されるものではなく、例えば水道のメータ・ガスのメータ・電力のメータ等の状態から在宅者の存在状態を判定しても良い。
【０１１３】
上記実施例１〜実施例４においては、ホームコントローラ１０の表示器１７にセキュリティ関連情報を表示したが、これに限定されるものではなく、例えば表示器１７の表示内容を音声でスピーカから出力する構成としても良い。
【図面の簡単な説明】
【０１１４】
【図１】実施例１を示す図（監視システムの全体構成を概略的に示す図）
【図２】ホームコントローラの外観を示す図
【図３】ホームコントローラの電気的構成を示すブロック図
【図４】生活機器の電気的構成を示すブロック図
【図５】ホームゲートウェイの電気的構成を示すブロック図
【図６】ホームゲートウェイの処理内容を示すフローチャート
【図７】ホームゲートウェイのモード設定処理を示すフローチャート
【図８】ホームゲートウェイのモード設定処理を示すフローチャート
【図９】ホームゲートウェイのモード設定処理を示すフローチャート
【図１０】ホームゲートウェイの在宅度データ検出処理を示すフローチャート
【図１１】運転情報の取得結果を示す図
【図１２】在宅度データを示す図
【図１３】ホームゲートウェイの在宅警戒処理を示すフローチャート
【図１４】ホームゲートウェイの外出警戒処理を示すフローチャート
【図１５】ホームゲートウェイの携帯端末処理を示すフローチャート
【図１６】実施例２を示す図（ホームコントローラの外観を示す図）
【図１７】ホームゲートウェイのモード設定処理を示すフローチャート
【図１８】ホームゲートウェイのモード設定処理を示すフローチャート
【図１９】実施例３を示す図（ホームゲートウェイのモード設定処理を示すフローチャート）
【図２０】ホームゲートウェイのモード設定処理を示すフローチャート
【図２１】実施例４を示す図（ホームゲートウェイのモード設定処理を示すフローチャート）
【符号の説明】
【０１１５】
１３は外出警戒スイッチ（指令手段）、１７は表示器（報知手段）、１８は警戒スイッチ（指令手段）、２４は人感センサ（在宅検出手段）、４１はセキュリティ制御部（モード判定手段、モード選択手段）、８０は通信制御部（在宅検出手段，運転検出手段）を示している。
【図１】
2006190151.tif 000003
【図２】
2006190151.tif 000004
【図３】
2006190151.tif 000005
【図４】
2006190151.tif 000006
【図５】
2006190151.tif 000007
【図６】
2006190151.tif 000008
【図７】
2006190151.tif 000009
【図８】
2006190151.tif 000010
【図９】
2006190151.tif 000011
【図１０】
2006190151.tif 000012
【図１１】
2006190151.tif 000013
【図１２】
2006190151.tif 000014
【図１３】
2006190151.tif 000015
【図１４】
2006190151.tif 000016
【図１５】
2006190151.tif 000017
【図１６】
2006190151.tif 000018
【図１７】
2006190151.tif 000019
【図１８】
2006190151.tif 000020
【図１９】
2006190151.tif 000021
【図２０】
2006190151.tif 000022
【図２１】
2006190151.tif 000023